【手続補正書】
【提出日】平成21年1月8日(2009.1.8)
【手続補正１】
【補正対象書類名】特許請求の範囲
【補正対象項目名】全文
【補正方法】変更
【補正の内容】
【特許請求の範囲】
【請求項１】
少なくとも１つの液体媒体、少なくとも１つのマイクロファイバー、および少なくとも１つのミクロ粉末を含んでなるマイクロファイバーおよびミクロ粉末スラリー。
【請求項２】
請求項１に記載のマイクロファイバーおよびミクロ粉末スラリーから製造される材料。
【請求項３】
請求項２に記載の材料から製造される製品。
【請求項４】
少なくとも１つのマイクロファイバー、少なくとも１つのミクロ粉末および液体媒体を含んでなるスラリーの製造方法であって、少なくとも１つの繊維を含んでなる出発原料を少なくとも１つの液体媒体と予備混合してプレミックスを形成する工程と、
少なくとも１つのミクロ粉末をプレミックスに加える工程と、
プレミックスおよびミクロ粉末を固体成分とマイクロファイバーおよびミクロ粉末を含有するスラリーを製造するために有効量の時間攪拌する工程と、
固体成分を除去する工程と
を含んでなる方法。
【請求項５】
請求項４に記載の方法によって製造されるスラリー。
【請求項６】
少なくとも１つのマイクロファイバー、少なくとも１つのミクロ粉末および少なくとも１つの液体媒体を含んでなるスラリーの製造方法であって、マイクロファイバースラリー、少なくとも１つのミクロ粉末を、少なくとも１つのマイクロファイバーおよび少なくとも１つのミクロ粉末を含有するスラリーを製造するために有効量の時間混合する工程を含んでなる方法。
【請求項７】
請求項６に記載の方法によって製造されるスラリー。
【請求項８】
少なくとも１つのマイクロファイバー、少なくとも１つのミクロ粉末および第１液体媒体を含んでなるスラリーの製造方法であって、マイクロファイバースラリーを少なくとも１つの第２液体媒体と予備混合してプレミックスを形成する工程と、少なくとも１つのミクロ粉末をプレミックスに加える工程と
を含んでなる方法。
【請求項９】
請求項８に記載の方法によって製造されるスラリー。
【手続補正２】
【補正対象書類名】明細書
【補正対象項目名】０１１９
【補正方法】変更
【補正の内容】
【０１１９】
【表４】
2008527109.tif 000001
次に、本発明の好ましい態様を示す。
１．少なくとも１つの液体媒体、少なくとも１つのマイクロファイバー、および少なくとも１つのミクロ粉末を含んでなるマイクロファイバーおよびミクロ粉末スラリー。
２．０．０１〜１５重量％の少なくとも１つのマイクロファイバーを含んでなる、上記１に記載のスラリー。
３．スラリーの総重量を基準にして、０．５〜５０重量％の少なくとも１つのミクロ粉末を含んでなる、上記１に記載のスラリー。
４．スラリーの総重量を基準にして、０．２〜１５重量％の少なくとも１つのマイクロファイバーおよび２〜３０重量％の少なくとも１つのミクロ粉末を含んでなる、上記１に記載のスラリー。
５．液体媒体が水性溶剤、非水性溶剤、モノマー、水、樹脂、ポリマー、ポリマー前駆体、キャリア、およびそれらの混合物から選択される、上記１に記載のスラリー。
６．少なくとも１つのマイクロファイバーが有機マイクロファイバーを含んでなる、上記１に記載のスラリー。
７．有機マイクロファイバーが脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、フェノール系誘導体、ポリベンズイミダゾール、ポリフェニレントリアゾール、ポリフェニレンスルフィド、ポリオキサジアゾール、ポリイミド、芳香族ポリアミド、セルロース、綿、絹、羊毛、およびそれらの混合物から選択されるポリマー材料を含んでなる、上記６に記載のスラリー。
８．有機マイクロファイバーがポリ（ｐ−フェニレンテレフタルアミド）、ポリ（ｍ−フェニレンイソフタルアミド）、およびそれらの混合物から選択される芳香族ポリアミドポリマーを含んでなる、上記６に記載のスラリー。
９．少なくとも１つのマイクロファイバーが無機マイクロファイバーを含んでなる、上記１に記載のスラリー。
１０．無機マイクロファイバーがアルミナ、シリカ、ガラス、カーボン、ホウ素、炭化ホウ素、炭化ケイ素、およびそれらの混合物から選択される少なくとも１つの材料を含んでなる、上記９に記載のスラリー。
１１．少なくとも１つのミクロ粉末が有機材料、無機材料、微粉鉱物、およびそれらの混合物から選択される少なくとも１つの材料を含んでなる、上記１に記載のスラリー。
１２．有機材料がＰＴＦＥ、ＰＴＦＥホモポリマー、ＰＴＦＥ共重合体、変性ＰＴＦＥ、およびそれらの混合物から選択される、上記１１に記載のスラリー。
１３．無機材料が沈澱シリカ、溶融シリカ、ケイ酸アルミニウム、硫酸カルシウム、硫酸第二鉄または第一鉄、二酸化チタン、酸化アルミニウム、および酸化亜鉛から選択される、上記１１に記載のスラリー。
１４．微粉鉱物が粘土、タルク、炭酸カルシウムおよび雲母から選択される、上記１１に記載のスラリー。
１５．染料、顔料、酸化防止剤、可塑剤、ＵＶ吸収剤、安定剤、レオロジー調整剤、フロー剤、金属フレーク、強化剤、フィラー、およびカーボンブラックから選択される少なくとも１つの通常の添加剤をさらに含んでなる、上記１に記載のスラリー。
１６．マイクロファイバーが０．０１〜１００ミクロンの体積平均長さを有する、上記１に記載のスラリー。
１７．マイクロファイバーがアスペクト比１０：１〜１０００；１、より好ましくは１０：１〜５００；１、そしてさらにより好ましくは２５：１〜３００；１を有する、上記１に記載のスラリー。
１８．ミクロ粉末が０．０１〜１００ミクロンの平均直径を有する、上記１に記載のスラリー。
１９．上記１に記載のマイクロファイバーおよびミクロ粉末スラリーから製造される材料。
２０．材料、樹脂、熱硬化性樹脂、熱可塑性樹脂、およびエラストマーから選択される、上記１９に記載の材料。
２１．上記１９に記載の材料から製造される製品。
２２．化粧品、マニキュア液、ペイントコーティング組成物、繊維、フィルム、モノフィラメント、成形部品から選択される、上記１９に記載の製品。
２３．少なくとも１つのマイクロファイバー、少なくとも１つのミクロ粉末および液体媒体を含んでなるスラリーの製造方法であって、少なくとも１つの繊維を含んでなる出発原料を少なくとも１つの液体媒体と予備混合してプレミックスを形成する工程と、
少なくとも１つのミクロ粉末をプレミックスに加える工程と、
プレミックスおよびミクロ粉末を固体成分とマイクロファイバーおよびミクロ粉末を含有するスラリーを製造するために有効量の時間攪拌する工程と、
固体成分を除去する工程と
を含んでなる方法。
２４．出発原料が少なくとも１つの有機繊維を含んでなる、上記２３に記載の方法。
２５．有機繊維が脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、フェノール系誘導体、ポリベンズイミダゾール、ポリフェニレントリアゾール、ポリフェニレンスルフィド、ポリオキサジアゾール、ポリイミド、芳香族ポリアミド、セルロース、綿、絹、羊毛、およびそれらの混合物から選択される少なくとも１つのポリマー材料を含んでなる、上記２４に記載の方法。
２６．少なくとも１つの有機繊維がポリ（ｐ−フェニレンテレフタルアミド）、ポリ（ｍ−フェニレンイソフタルアミド）、およびそれらの混合物から選択される芳香族ポリアミドポリマーである、上記２５に記載の方法。
２７．出発原料が少なくとも１つの無機繊維を含んでなる、上記２３に記載の方法。
２８．無機繊維がアルミナ、シリカ、ガラス、カーボン、ホウ素、炭化ホウ素、炭化ケイ素、およびそれらの混合物から選択される少なくとも１つの材料を含んでなる、上記２７に記載の方法。
２９．少なくとも１つのミクロ粉末が有機材料、無機材料、微粉鉱物、およびそれらの混合物から選択される少なくとも１つの材料を含んでなる、上記２３に記載の方法。
３０．有機材料がＰＴＦＥ、ＰＴＦＥホモポリマー、ＰＴＦＥ共重合体、変性ＰＴＦＥ、およびそれらの混合物から選択される、上記２９に記載の方法。
３１．無機材料が沈澱シリカ、溶融シリカ、ケイ酸アルミニウム、硫酸カルシウム、硫酸第二鉄または第一鉄、二酸化チタン、酸化アルミニウム、および酸化亜鉛から選択される、上記２９に記載の方法。
３２．微粉鉱物が粘土、タルク、炭酸カルシウムおよび雲母から選択される、上記２９に記載の方法。
３３．液体媒体が水性溶剤、非水性溶剤、モノマー、水、樹脂、ポリマー、ポリマー前駆体、キャリア、それらの混合物、およびそれらのブレンドから選択される、上記２３に記載の方法。
３４．染料、顔料、酸化防止剤、可塑剤、ＵＶ吸収剤、安定剤、レオロジー調整剤、フロー剤、金属フレーク、強化剤、フィラー、またはカーボンブラックから選択される少なくとも１つの通常の添加剤を提供する工程をさらに含んでなる、上記２３に記載の方法。
３５．上記２３に記載の方法によって製造されるスラリー。
３６．少なくとも１つのマイクロファイバー、少なくとも１つのミクロ粉末および少なくとも１つの液体媒体を含んでなるスラリーの製造方法であって、マイクロファイバースラリー、少なくとも１つのミクロ粉末を、少なくとも１つのマイクロファイバーおよび少なくとも１つのミクロ粉末を含有するスラリーを製造するために有効量の時間混合する工程を含んでなる方法。
３７．前記マイクロファイバースラリーおよび前記少なくとも１つのミクロ粉末が別の液体媒体と混合される、上記３６に記載の方法。
３８．スラリーおよび少なくとも１つのミクロ粉末を固体成分と攪拌する工程をさらに含んでなる、上記３６に記載の方法。
３９．マイクロファイバースラリーが少なくとも１つの有機マイクロファイバーを含んでなる、上記３６に記載の方法。
４０．少なくとも１つの有機マイクロファイバーが脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、フェノール系誘導体、ポリベンズイミダゾール、ポリフェニレントリアゾール、ポリフェニレンスルフィド、ポリオキサジアゾール、ポリイミド、芳香族ポリアミド、セルロース、綿、絹、羊毛、およびそれらの混合物から選択される少なくとも１つのポリマー材料を含んでなる、上記３９に記載の方法。
４１．少なくとも１つの有機マイクロファイバーがポリ（ｐ−フェニレンテレフタルアミド）、ポリ（ｍ−フェニレンイソフタルアミド）、またはそれらの混合物から選択される芳香族ポリアミドポリマーを含んでなる、上記３９に記載の方法。
４２．マイクロファイバースラリーが少なくとも１つの無機マイクロファイバーを含んでなる、上記３９に記載の方法。
４３．少なくとも１つの無機マイクロファイバーがアルミナ、シリカ、ガラス、カーボン、ホウ素、炭化ホウ素、炭化ケイ素、およびそれらの混合物から選択される少なくとも１つの材料を含んでなる、上記４２に記載の方法。
４４．少なくとも１つのミクロ粉末が有機材料、無機材料、微粉鉱物、およびそれらの混合物から選択される少なくとも１つの材料を含んでなる、上記３６に記載の方法。
４５．有機材料がＰＴＦＥ、ＰＴＦＥホモポリマー、ＰＴＦＥ共重合体、変性ＰＴＦＥ、およびそれらの混合物から選択される、上記４４に記載の方法。
４６．無機材料が沈澱シリカ、溶融シリカ、ケイ酸アルミニウム、硫酸カルシウム、硫酸第二鉄または第一鉄、二酸化チタン、酸化アルミニウム、および酸化亜鉛から選択される、上記４４に記載の方法。
４７．微粉鉱物が粘土、タルク、炭酸カルシウムおよび雲母から選択される、上記４４に記載の方法。
４８．液体媒体が水性溶剤、非水性溶剤、モノマー、水、樹脂、ポリマー、ポリマー前駆体、キャリア、それらの混合物、およびそれらのブレンドから選択される、上記３６に記載の方法。
４９．染料、顔料、酸化防止剤、可塑剤、ＵＶ吸収剤、安定剤、レオロジー調整剤、フロー剤、金属フレーク、強化剤、フィラー、またはカーボンブラックから選択される少なくとも１つの通常の添加剤を提供する工程
をさらに含んでなる、上記３６に記載の方法。
５０．上記３６に記載の方法によって製造されるスラリー。
５１．少なくとも１つのマイクロファイバー、少なくとも１つのミクロ粉末および第１液体媒体を含んでなるスラリーの製造方法であって、マイクロファイバースラリーを少なくとも１つの第２液体媒体と予備混合してプレミックスを形成する工程と、少なくとも１つのミクロ粉末をプレミックスに加える工程と
を含んでなる方法。
５２．第１液体媒体および第２液体媒体の少なくとも１つが２つもしくはそれ以上の液体のブレンドである、上記５１に記載の方法。
５３．第１液体媒体および第２液体媒体が同一ではない、上記５１に記載の方法。
５４．プレミックスおよび少なくとも１つのミクロ粉末を固体成分と少なくとも１つのマイクロファイバーおよび少なくとも１つのミクロ粉末を含有するスラリーを製造するために有効量の時間攪拌する工程と、固体成分を除去する工程と
をさらに含んでなる、上記５１に記載の方法。
５５．上記５１に記載の方法によって製造されるスラリー。